(57)【要約】【課題】複数の装置を連携させることによって、より詳細な情報表示を行うことを可能とする情報処理装置、情報処理方法、情報処理プログラムおよび端末装置を提供する。【解決手段】第１の装置と接続された第２の装置において、第１の装置において動作しているアプリケーションに関するアプリケーション情報を第２の装置が備える通信部を介して取得し、アプリケーション情報に基づいて、第２の装置が備える表示部における表示制御を行う情報処理装置である。【選択図】図１
2013191124.tif 000002
【特許請求の範囲】
【請求項１】
第１の装置と接続された第２の装置において、
前記第１の装置において動作しているアプリケーションに関するアプリケーション情報を前記第２の装置が備える通信部を介して取得し、
前記アプリケーション情報に基づいて、前記第２の装置が備える表示部における表示制御を行う
情報処理装置。
【請求項２】
前記第１の装置において前記アプリケーションにより再生されるコンテンツに関連する情報を示すコンテンツ情報を前記通信部を介して取得し、
前記コンテンツ情報に基づいて、前記コンテンツに関する情報を前記第２の装置が備える表示部に表示するよう制御する
請求項１に記載の情報処理装置。
【請求項３】
前記アプリケーション情報は、前記第１の装置においてアプリケーションが動作していることを示す情報である
請求項１に記載の情報処理装置。
【請求項４】
前記アプリケーション情報は、前記第１の装置において、コンテンツを再生しているアプリケーションの種類を示す情報である
請求項１に記載の情報処理装置。
【請求項５】
前記第２の装置が備える入力部に対する入力操作内容を示す操作情報を、前記第２の装置が備える通信部を介して前記第１の装置に送信する
請求項１に記載の情報処理装置。
【請求項６】
前記第２の装置が備える通信部を介して、前記第１の装置において前記操作情報に基づいて行われた前記第１の装置の表示部の表示内容の更新を示す更新情報を取得し、
前記更新情報に基づいて前記第２の装置の表示部における表示の更新を行う
請求項５に記載の情報処理装置。
【請求項７】
第１の装置と接続された第２の装置において、
前記第１の装置において動作しているアプリケーションに関するアプリケーション情報を前記第２の装置が備える通信部を介して取得し、
前記アプリケーション情報に基づいて、前記第２の装置が備える表示部における表示制御を行う
情報処理方法。
【請求項８】
第１の装置と接続された第２の装置において、
前記第１の装置において動作しているアプリケーションに関するアプリケーション情報を前記第２の装置が備える通信部を介して取得し、
前記アプリケーション情報に基づいて、前記第２の装置が備える表示部における表示制御を行う
情報処理方法を実行させる情報処理プログラム。
【請求項９】
表示部を備え、
接続された他の装置において動作しているアプリケーションに関するアプリケーション情報を通信部を介して取得し、
前記アプリケーション情報に基づいて、前記表示部における表示制御を行う
端末装置。
【発明の詳細な説明】
【技術分野】
【０００１】
本技術は、情報処理装置、情報処理方法、情報処理プログラムおよび端末装置に関する。
【背景技術】
【０００２】
近年、様々なサービス、機能を提供する多種多様なアプリケーションを有する携帯電話機、スマートフォンなどの携帯端末装置が普及している。そして、よりアプリケーションによる利便性を高めるために、それら携帯端末装置と他の装置との連携が望まれている。そこで、携帯端末装置でのアプリケーション実行によるサービス、機能を連携によって車載装置側で利用可能とする車載装置および通信制御方法が提案されている（特許文献１）。
【先行技術文献】
【特許文献】
【０００３】
【特許文献１】特開２０１０−１９９７１８号公報
【発明の概要】
【発明が解決しようとする課題】
【０００４】
しかし、連携することにより利便性が高まったとしても、車載装置が備える表示用デバイス、入力用デバイスは通常、サイズなどに制限があり、コンテンツに関する情報の表示が不十分であったり、操作が困難である場合がある。
【０００５】
本技術は、このような点に鑑みてなされたものであり、複数の装置を連携させることによって、より詳細で豊富な情報表示を行うことを可能とする情報処理装置、情報処理方法、情報処理プログラムおよび端末装置を提供することを目的とする。
【課題を解決するための手段】
【０００６】
上述した課題を解決するために、第１の発明は、第１の装置と接続された第２の装置において、第１の装置において動作しているアプリケーションに関するアプリケーション情報を前記第２の装置が備える通信部を介して取得し、アプリケーション情報に基づいて、前記第２の装置が備える表示部における表示制御を行う情報処理装置である。
【０００７】
また、第２の発明は、第１の装置と接続された第２の装置において、第１の装置において動作しているアプリケーションに関するアプリケーション情報を第２の装置が備える通信部を介して取得し、アプリケーション情報に基づいて、第２の装置が備える表示部における表示制御を行う情報処理方法である。
【０００８】
また、第３の発明は、第１の装置と接続された第２の装置において、第１の装置において動作しているアプリケーションに関するアプリケーション情報を第２の装置が備える通信部を介して取得し、アプリケーション情報に基づいて、第２の装置が備える表示部における表示制御を行う情報処理方法を実行させる情報処理プログラムである。
【０００９】
さらに、第４の発明は、表示部を備え、接続された他の装置において動作しているアプリケーションに関するアプリケーション情報を通信部を介して取得し、アプリケーション情報に基づいて、前記表示部における表示制御を行う端末装置である。
【発明の効果】
【００１０】
本技術によれば、複数の装置を連携させることによって、より詳細で豊富な情報表示を行うことが可能となる。
【図面の簡単な説明】
【００１１】
【図１】図１は、本技術の係る第２の装置の一例である端末装置の構成を示すブロック図である。
【図２】図２は、端末装置の外観構成の例を示す図である。
【図３】図３は、本技術に係る第１の装置の一例であるコンテンツ再生装置の構成を示すブロック図である。
【図４】図４は、コンテンツ再生装置の外観構成の例を示す図である。
【図５】図５は、端末装置とコンテンツ再生装置間で行われる処理の流れを示すシーケンス図である。
【図６】図６は、端末装置における情報表示画面の例を示す図である。
【発明を実施するための形態】
【００１２】
以下、本技術の実施の形態について図面を参照しながら説明する。ただし、本技術は以下の実施の形態のみに限定されるものではない。なお、説明は以下の順序で行う。
＜１．実施の形態＞
［１−１．端末装置の構成］
［１−２．コンテンツ再生装置の構成］
［１−３．情報処理］
＜２．変形例＞
【００１３】
＜１．実施の形態＞
［１−１．端末装置の構成］
図１は本実施の形態における端末装置１００の構成を示すブロック図である。端末装置１００は、特許請求の範囲における第２の装置の一例である。端末装置１００は、データバス１０１を備え、このデータバス１０１には、制御部１０２、ネットワークインターフェース１０３、信号処理部１０４、入力部１０５、表示部１０６、通信部１０７、記憶部１０８、アプリケーションプロセッサ１０９が接続されている。
【００１４】
制御部１０２は、例えば、ＣＰＵ（Central Processing Unit）、ＲＡＭ（Random Access Memory）およびＲＯＭ（Read Only Memory）などから構成されている。ＲＯＭには、ＣＰＵにより読み込まれて動作されるプログラムなどが記憶されている。ＲＡＭは、ＣＰＵのワークメモリとして用いられる。ＣＰＵは、ＲＯＭに記憶されたプログラムに従い様々な処理を実行することによって、端末装置１００の各部および全体の制御を行う。
【００１５】
ネットワークインターフェース１０３は、例えば、所定のプロトコルに基づいて外部基地局などとの間でデータの送受信を行うものである。通信方式は無線ＬＡＮ（Local Area Network）、Ｗｉ−Ｆｉ（Wireless Fidelity）、３Ｇ回線を用いた通信など、どのような方式でもよい。ネットワークインターフェース１０３による通信により、端末装置１００はインターネット接続、他者との通話などを行うことが可能となる。
【００１６】
信号処理部１０４は、変復調器、ＡＤ／ＤＡ変換器、音声コーデック（図示せず。）などを備えている。信号処理部１０４の変復調器で、送信する音声信号を変調し、あるいは受信した信号を復調する。送信する信号は、ＡＤ／ＤＡ変換器でデジタル信号に変換され、受信した信号はＡＤ／ＤＡ変換器でアナログ信号に変換される。そして信号処理部１０４には、音声を出力するスピーカ１１０と、音声を入力するマイクロホン１１１とが接続されている。
【００１７】
入力部１０５は、ユーザが端末装置１００に対して各種入力を行うための入力手段である。例えば、ボタン、タッチパネル、スイッチなどにより構成されている。また、入力部１０５は、表示部１０６と一体に構成されたタッチスクリーンとして構成してもよい。入力部１０５に対してユーザによる入力操作がなされると、その入力に対応した制御信号が生成されて制御部１０２に出力される。そして、制御部１０２によりその制御信号に対応した演算処理や制御が行われる。
【００１８】
表示部１０６は、例えば、ＬＣＤ（Liquid Crystal Display）、ＰＤＰ(Plasma Display Panel)、有機ＥＬ(Electro Luminescence)パネルなどにより構成された表示手段である。表示部１０６には、端末装置１００の各種操作のメニューを表示するホーム画面、楽曲リスト、再生中の音声コンテンツに関する情報（アーティスト名、曲名など）、動画コンテンツ、画像コンテンツなどが表示される。
【００１９】
通信部１０７は、Bluetooth、ＵＳＢ接続などの方法により端末装置１００との通信を行うための通信モジュールである。通信部１０７における通信方法としては、無線通信であるBluetooth、有線通信であるＵＳＢによる通信などがある。Bluetooth通信を行うBluetoothモジュールは、Bluetooth方式の近距離無線通信によるデータの送受信が可能なモジュールである。Bluetoothモジュールによって、外部Bluetooth機器であるコンテンツ再生装置とのデータのやり取りが行われる。
【００２０】
Bluetoothモジュールは、アンテナ、信号処理部（図示せず。）などを備える。例えば外部のBluetooth機器であるコンテンツ再生装置２００に音声データを送信する場合等、Bluetoothモジュールは、信号処理部によって送信する音声データに所定の信号処理を施し、その音声データを内蔵するアンテナを介してコンテンツ再生装置２００に送信する。また、コンテンツ再生装置２００に音声データを送信する場合等、Bluetoothモジュールは、コンテンツ再生装置から送信された音声データを内蔵するアンテナで受信し、内蔵する信号処理部１０４に供給する。そして、信号処理部において音声データに所定の信号処理を施すことによって音声信号を生成する。これにより、端末装置１００で再生した音声データをコンテンツ再生装置２００から出力すること、および、コンテンツ再生装置２００で再生した音声データを端末装置１００から出力することができる。
【００２１】
通信部１０７における通信方式として有線通信であるＵＳＢを用いる場合には、ＵＳＢケーブルによってコンテンツ再生装置２００と端末装置１００とが接続される。
【００２２】
ただし、接続方法はいずれの方法であってもよい。また、Bluetooth、ＵＳＢ以外にも任意のデータ通信が可能な接続方法であればどのようなものを採用してもよい。また、通信方式は、端末装置１００の機種、ＯＳ（Operation System）の種類などに基づいて適宜選択するとよい。
【００２３】
記憶部１０８は、例えば、ＨＤＤ、フラッシュメモリなどの大容量記憶媒体から構成されており、各種アプリケーション、コンテンツデータなどを保存するものである。
【００２４】
アプリケーションプロセッサ１０９は、端末装置１００にインストールされた各種アプリケーションを実行する処理部である。本技術は、端末装置１００にインストールされる情報処理アプリケーションがアプリケーションプロセッサ１０９に実行されることにより実現される。アプリケーションプロセッサ１０９は情報処理アプリケーションを実行することにより、情報取得部１２１、情報送信部１２２、表示制御部１２３として機能する。情報処理アプリケーションの実行により実現される各機能が特許請求の範囲における情報処理装置に相当する。
【００２５】
情報取得部１２１は、コンテンツ再生装置２００におけるコンテンツソースからのコンテンツを再生するアプリケーションが起動していることを示す情報（アプリケーション情報）を通信部１０７を介してコンテンツ再生装置２００から取得する。アプリケーション情報はさらに、起動しているアプリケーションの種別も示すものである。コンテンツソースとしてはインターネットラジオ、ＵＳＢなどにより接続された外部ストレージ、ディスク媒体を再生するディスク媒体モジュールなどがある。インターネットラジオの再生はインターネットラジオ出力用アプリケーションで行われ、外部ストレージのコンテンツ再生は外部ストレージコンテンツ再生用のアプリケーションで行われる。ディスク媒体の再生はディスク再生用アプリケーションにより行われる。
【００２６】
また、情報取得部１２１は、コンテンツ再生装置２００においてアプリケーションによって再生されるコンテンツに関する情報（コンテンツ情報）を通信部１０７を介してコンテンツ再生装置２００から取得する。コンテンツ情報としては、コンテンツが楽曲データの場合には、再生中の楽曲名、アーティスト名、アルバム名、ジャケット画像、ジャンル名、テンポ情報などがある。また、コンテンツ再生装置２００のコンテンツソースに格納された複数のコンテンツの楽曲名、アーティスト名、アルバム名、ジャケット画像、ジャンル名、テンポ情報なども挙げられる。ただし、コンテンツ情報はこれらに限られるものではなく、その他、コンテンツについての情報であればどのようなものであってもよい。
【００２７】
なお、情報取得部１２１は、コンテンツ情報をインターネットを介して、ＣＤＤＢ(Compact Disc Data Base)などを利用して取得するようにしてもよい。
【００２８】
さらに、情報取得部１２１は、コンテンツ再生装置２００の表示部２１１における表示内容の更新を示す表示更新情報を通信部１０７を介して取得する。表示更新情報の詳細については後述する。
【００２９】
なお、本技術においては、Bluetoothを用いて通信を行う場合には、シリアルポートプロファイルを用いて端末装置１００とコンテンツ再生装置２００間でアプリケーション情報、コンテンツ情報、表示更新情報などの送受信が行われる。また、コンテンツ再生装置２００と端末装置１００との接続にＵＳＢを用いる場合には、ｉＡＰを用いてアプリケーション情報、コンテンツ情報、表示更新情報などの送受信が行われる。
【００３０】
シリアルポートプロファイル、ｉＡＰでは任意の情報の送受信が可能であるため、それらを利用することにより、本技術に用いられる上述した各種情報の送受信を行うことができる。ただし、上述した各種情報を送受信することが出来る方法であれば、他の方法を用いてもよい。また、Bluetooth、ＵＳＢ以外にも任意のデータ通信が可能な接続方法であればどのようなものを採用してもよい。
【００３１】
入力部１０５に対してユーザによる入力操作がなされると、情報送信部１２２は、その入力操作の内容を示す操作情報を通信部１０７を介してコンテンツ再生装置２００に送信する。詳しくは後述するが、端末装置１００の入力部１０５に対して入力操作を行うことにより、端末装置１００からコンテンツ再生装置２００を操作することを可能とする。
【００３２】
表示制御部１２３は、アプリケーション情報に基づいて、表示部１０６における表示をコンテンツ再生装置２００で再生されているコンテンツに関する情報を表示する情報表示画面に遷移させるよう表示制御を行う。また、表示更新情報に基づいて情報表示画面における表示内容の更新処理も行う。
【００３３】
なお、情報処理アプリケーションは予め端末装置１００にインストールした状態でユーザに提供するようにしてもよいし、ユーザが自ら端末装置１００にインストールするようにしてもよい。情報処理アプリケーションは、例えば、インターネット上のアプリケーション販売サイト、アプリケーションダウンロードサービスを介して提供または販売される。また、情報処理アプリケーションが記録された光ディスクや半導体メモリなどの可搬型記録媒体によって提供または販売されてもよい。
【００３４】
スピーカ１１０は音声を出力するための音声出力手段であり、信号処理部１０４により所定の処理が施された音声信号などを音声として出力する。これによりユーザは通話音声、端末装置１００に保存された音声データなどを聴取することができる。また、マイクロホン１１１は通話、音声による指示入力などのために音声を端末装置１００に入力するためのものである。マイクロホン１１１から入力された音声は信号処理部１０４によって所定の処理が施される。
【００３５】
以上のようにして端末装置１００が構成されている。端末装置１００としては、携帯電話機、スマートフォン、携帯音楽プレーヤ、タブレット端末などがある。また、図示はしないが、端末装置１００には撮像部と画像処理部などからなるカメラ機能、ラジオ機能などが設けられていてもよい。
【００３６】
図２は、端末装置１００の外観構成の一例を示す図である。図２においては、端末装置１００の表示部１０６および、入力部１０５としてのタッチスクリーンおよび入力部１０５としてのボタンが示されている。図２においては、表示部１０６にはインストールされているアプリケーションを示す複数のアイコンが表示されている。
【００３７】
図２に示されるように、携帯電話機、スマートフォン、携帯音楽プレーヤ、タブレット端末などの端末装置１００は、サイズが大きく、さらに高解像度の表示部を備えるものであることが好ましい。それにより、より多くの情報、鮮明な画像などを表示部に表示してユーザに提示することができる。
【００３８】
また、入力部１０５と表示部１０６とが一体として構成されたタッチスクリーンである場合には、ユーザは表示されるアイコンや文字列に直接指などを接触させることにより、コンテンツの選択、再生、停止などを直感的に行うことができる。
【００３９】
なお、図２に示される端末装置１００の外観構成、表示部１０６における表示態様、入力部１０５としてのボタンの配置はあくまで一例であり、それらは図２に示されるものに限られるものではない。
【００４０】
［１−２．コンテンツ再生装置の構成］
図３は、本技術の実施の形態におけるコンテンツ再生装置２００の構成を示すブロック図である。コンテンツ再生装置２００は特許請求の範囲における第１の装置の一例である。コンテンツ再生装置２００はいわゆる据え置き型の装置であり、据え置き型の装置としては例えば、車両内でコンテンツを再生するカーオーディオ装置、主に家庭内で用いられるドックスピーカなどがある。コンテンツ再生装置２００により再生されるコンテンツとしては、楽曲などの音声コンテンツ、映像コンテンツなどがある。
【００４１】
コンテンツ再生装置２００は、制御部２０１、ラジオ用アンテナ２０２、チューナ２０３、ディスク媒体モジュール２０４、電子ボリューム２０５、アンプ部２０６、スピーカ２０７、リモートコントローラ受光部２０８、入力部２０９、通信部２１０、表示部２１１、ＵＳＢ端子２１２、サウンドＤＳＰ（Digital Signal Processing）２１３、フラッシュＲＯＭ２１４、アプリケーションプロセッサ２１５とから構成されている。
【００４２】
制御部２０１は例えば、ＣＰＵ、ＲＡＭおよびＲＯＭなどから構成されている。ＲＯＭには、ＣＰＵにより読み込まれて動作されるプログラムなどが記憶されている。ＲＡＭは、ＣＰＵのワークメモリとして用いられる。ＣＰＵは、ＲＯＭに記憶されたプログラムに従い様々な処理を実行することによって、コンテンツ再生装置２００の各部および全体の制御を行う。また、制御部２０１は、端末装置１００から送信される操作情報に基づいてコンテンツ再生装置２００の各部および全体の制御を行う。例えば、操作情報が、コンテンツの再生を示している場合には、コンテンツ再生装置２００におけるコンテンツを再生する処理を行う。
【００４３】
ラジオ用アンテナ２０２は、ラジオ放送電波を受信するためのアンテナであり、チューナ２０３に接続されている。チューナ２０３は、ラジオ用アンテナ２０２により受信されたラジオ放送信号の復調やアナログ／デジタル変換、符号化されているデータの復号等の処理などを行い、ラジオ音声データを復元する。ラジオ音声データは制御部２０１の制御のもと電子ボリューム２０５、アンプ部２０６を介してスピーカ２０７へ送られ、スピーカ２０７により音声として出力される。
【００４４】
ディスク媒体モジュール２０４は、ディスク状記録媒体に書込まれているオーディオ信号を読出し、読出したオーディオ信号に対して所定の信号処理を施して音声信号を取得するディスク再生装置である。得られた音声信号は、制御部２０１の制御のもと電子ボリューム２０５、アンプ部２０６を介してスピーカ２０７へ送られ、スピーカ２０７により音声として出力される。なお、ディスク状記録媒体としてはＣＤ(Compact Disc)、ＤＶＤ（Digital Versatile Disc）、ＢＤ（Blu-ray Disc）などがある。
【００４５】
電子ボリューム２０５は、制御部２０１の制御に基づき、ラジオチューナ２０３、ディスク媒体モジュール２０４、通信部２１０、ＵＳＢ端子２１２などから供給された音声信号を増幅して音量を調整する。音量が調整された音声信号は、アンプ部２０６に供給される。アンプ部２０６は、電子ボリューム２０５から供給された音声信号を所定に増幅し、スピーカ２０７に供給する。スピーカ２０７は、アンプ部２０６から供給された音声信号を外部に音声として出力する音声出力手段である。
【００４６】
リモートコントローラ受光部２０８は、ユーザの操作によりコンテンツ再生装置２００付属のリモートコントローラ３００から送信されたコントロール信号を受信して制御部２０１に出力する。
【００４７】
入力部２０９は、ユーザがコンテンツ再生装置２００への各種入力操作を行うための入力手段である。入力部２０９は例えば、ボタン、タッチパネル、スイッチなどにより構成されている。また、入力部２０９は、表示部２１１と一体に構成されたタッチスクリーンとして構成してもよい。入力部２０９に対してユーザによる入力がなされると、その入力に対応した制御信号が生成されて制御部２０１に出力される。そして、制御部２０１によりその制御信号に対応した演算処理や制御が行われる。
【００４８】
本実施の形態においては、ユーザは、入力部２０９に対して、アプリケーション選択操作および、選択したアプリケーションを起動するための決定操作、コンテンツの再生、停止、早送り、巻戻しなどを行うことが可能である。
【００４９】
表示部２１１は、例えば、ＬＣＤ、ＰＤＰ、有機ＥＬパネルなどにより構成された表示手段である。表示部２１１には、コンテンツ再生装置２００の各種操作のメニューを表示するホーム画面、楽曲リスト、再生中の楽曲情報（アーティスト名、曲名など）などが表示される。
【００５０】
通信部２１０は、端末装置１００との通信を行うものである。通信部２１０の構成は端末装置におけるものと同様である。通信部２１０で受信した端末装置からの音声データはサウンドＤＳＰ２１３に供給される。
【００５１】
また、通信方式としてBluetoothを用いる場合、シリアルポートプロファイルを用いて、コンテンツ再生装置２００と端末装置１００間で、アプリケーション情報、共有情報、操作情報などの送受信を行われる。また、コンテンツ再生装置２００と端末装置１００との接続にＵＳＢを用いる場合には、ｉＡＰを用いてアプリケーション情報、共有情報、操作情報などの任意の情報の送受信が可能となる。
【００５２】
ただし、接続方法はいずれの方法であってもよい。また、Bluetooth、ＵＳＢ以外にも任意のデータ通信が可能な接続方法であればどのようなものを採用してもよい。
【００５３】
ＵＳＢ端子２１２は、コンテンツ再生装置２００に外部装置、外部記録媒体などを接続するためのＵＳＢ規格に準拠した接続端子である。ＵＳＢ端子２１２には例えば、コンテンツデータが格納された外部ＨＤＤ（Hard Disc Drive）、ＵＳＢメモリなどの外部ストレージが接続される。外部ストレージに格納されたコンテンツデータが例えば楽曲データである場合、制御部２０１による制御のもと電子ボリューム２０５、アンプ部２０６を介してスピーカ２０７へ送られ、スピーカ２０７により音声として出力される。
【００５４】
コンテンツは、音声データであれば、ＷＡＶ（RIFF waveform Audio Format）、またはＭＰ３（MPEG Audio Layer-3）、ＡＡＣ（Advanced Audio Coding）などの方式で音声圧縮された状態記憶媒体などに保存されている。また、楽曲のアーティスト名、アルバム名、曲名、総再生時間、再生時間情報などを含む楽曲情報も楽曲データのメタデータとして記憶媒体に保存されている。コンテンツが動画である場合には、ＭＰＥＧ（Moving Picture Experts Group）、ＡＶＩ（Audio Video Interleave）などのデータ形式で保存されている。
【００５５】
サウンドＤＳＰ２１３は、通信部２１０としてのBluetoothモジュールなどから供給された音声データに対して所定の音声信号処理を施して電子ボリューム２０５に供給する。音声信号は電子ボリューム２０５、アンプ部２０６を介して最終的に音声としてスピーカ２０７から出力される。
【００５６】
フラッシュＲＯＭ２１４は不揮発性メモリであり、Bluetooth機器に関する情報である機器情報やラジオ放送の周波数情報といった各種のデータが格納される。そして、格納された機器情報や周波数情報が制御部２０１からの要求に応じて読出され、制御部２０１に供給される。
【００５７】
アプリケーションプロセッサ２１５は、端末装置１００における情報処理アプリケーションの動作と連動してコンテンツ再生装置２００側で所定の処理を行うものである。アプリケーションプロセッサ２１５は、所定のアプリケーションを実行することにより情報取得部２１６、情報送信部２１７として機能する。
【００５８】
情報取得部２１６は、端末装置１００から送信された操作情報を通信部２１０を介して取得する。取得された操作情報は制御部２０１に供給され、制御部２０１によりその操作情報に対応した演算処理や制御が行われる。よって、あたかも端末装置１００がコンテンツ再生装置２００のコントローラとして機能し、コンテンツ再生装置２００を外部の端末装置１００から操作することが可能となる。
【００５９】
情報送信部２１７は、コンテンツ再生のために動作しているアプリケーションの種類を示すアプリケーション情報、コンテンツに関する情報の表示の更新状況を示す表示更新情報を通信部２１０を介して端末装置１００に送信する。
【００６０】
本実施の形態においては、コンテンツ再生装置２００は、チューナと、ＵＳＢ接続されておりコンテンツデータを蓄えた外部ストレージと、ディスク媒体モジュールの３つのコンテンツソースを有している。ただし、コンテンツソースの数および種類はそれに限られるものではない。１つのコンテンツソースを備えていてもよいし、より多くのコンテンツソースを備えていてもよい。
【００６１】
図４は、コンテンツ再生装置２００の一例であるカーオーディオ装置の外観構成の一例を示す図である。図４においては、コンテンツ再生装置２００の筐体と、フロントパネルに設けられた入力部２０９および表示部２１１が示されている。
【００６２】
図４Ａにおいては、コンテンツ再生装置２００の表示部２１１にはコンテンツ再生装置２００が再生しているコンテンツのソースを意味する「ＵＳＢ」の文字が表示されている。「ＵＳＢ」とはコンテンツ再生装置２００にＵＳＢ端子２１２を介して接続された外部のＵＳＢメモリ、ＨＤＤなどに保存されたコンテンツを再生していることを示すものである。
【００６３】
また、図４Ａにおいては、コンテンツ再生装置２００の表示部２１１には、コンテンツのソース表示の横に、再生されている楽曲コンテンツの再生時刻が表示されている。
【００６４】
さらに、図４Ｂにおいては、コンテンツ再生装置２００で再生中の楽曲コンテンツのタイトルが表示されている。図４Ａに示される表示態様と、図４Ｂに示される表示態様とは例えば、入力部２０９に対して表示切り替えを指示する入力を行うことにより切り替えられる。
【００６５】
このように、コンテンツ再生装置２００がカーオーディオ、ドックスピーカなどの場合、表示部の大きさは制限されている場合が多く、表示できる情報が限られたものとなってしまう場合が多い。よって、通常、異なる情報を表示する場合には、入力部２０９に対して操作入力を行い、画面をスクロールなどさせる必要がある。
【００６６】
なお、図４に示されるコンテンツ再生装置２００の外観構成、表示部２１１における表示態様はあくまで一例であり、それらは図４に示されるものに限られるものではない。例えば、コンテンツソースと楽曲タイトルを並列して表示するものであってもよいし、コンテンツソース、再生時間、楽曲タイトルを別々に表示するものであってもよい。また、それら以外の情報を表示するものであってもよい。
【００６７】
［１−３．情報共有処理］
次に、上述した端末装置１００とコンテンツ再生装置２００との間において、行われる情報処理について説明する。図５は端末装置１００とコンテンツ再生装置２００との間で行われる処理の流れを示すシーケンス図である。
【００６８】
本技術においては、第２の装置である端末装置１００の表示部１０６において、第１の装置であるコンテンツ再生装置２００において再生されているコンテンツの情報が表示される。また、端末装置１００に対してコンテンツの再生、停止、早送り、戻しなどのコンテンツ再生に関する操作入力が行われると、その操作情報がコンテンツ再生装置２００に送信され、操作入力に応じた動作がコンテンツ再生装置２００において行われる。よって、端末装置１００はあたかもコンテンツ再生装置２００に付随する表示装置兼入力装置として機能する。
【００６９】
まず、ステップＳ１で、コンテンツ再生装置２００と端末装置１００との接続が行われる。接続は上述したように双方の通信部においてBluetooth、ＵＳＢ接続などの方法により行われる。Bluetoothで接続された場合にはシリアルポートプロファイルを利用してコンテンツ再生装置２００と端末装置１００間の情報の送受信が行われる。ＵＳＢにより接続された場合にはｉＡＰを利用してコンテンツ再生装置２００と端末装置１００間の情報の送受信が行われる。
【００７０】
コンテンツ再生装置２００と端末装置１００との接続が確立した場合、次にステップＳ２で、コンテンツ再生装置２００から端末装置１００に対して接続完了通知が送信される。なお、図５に示される処理とは逆に、端末装置１００からコンテンツ再生装置２００へ接続完了通知がなされるようにしてもよい。
【００７１】
次にステップＳ３で、コンテンツ再生装置２００においてコンテンツ再生のためのアプリケーションが起動される。このアプリケーションの起動は、ユーザがコンテンツ再生装置２００の入力部２０９に対して起動を指示する入力を行うことにより実行される。
【００７２】
コンテンツ再生装置２００においてアプリケーションが起動すると、次にステップＳ４で、コンテンツ再生装置２００から端末装置１００に対して、起動したアプリケーションの種類を示すアプリケーション情報が送信される。なお、アプリケーションの起動と共にコンテンツの再生が開始された場合には、コンテンツ情報も同時に送信するようにするとよい。また、アプリケーションが起動した時点で、コンテンツソースが有する全コンテンツに関するコンテンツ情報も端末装置１００に送信するようにしてもよい。
【００７３】
次にステップＳ５で、端末装置１００の表示制御部１２４はアプリケーション情報に基づいた表示処理を行い、表示部１０６における表示を情報表示画面に遷移させる。
【００７４】
次にステップＳ６で、コンテンツ再生装置２００においてアプリケーションが動作してコンテンツの選択、再生などが行われる。このアプリケーションの動作によってコンテンツ再生装置２００の表示部２１１における表示は更新される。具体的には、コンテンツが再生されると再生中のコンテンツのタイトル、再生時刻などが表示される。また、コンテンツ選択が行われた場合には、選択候補となるコンテンツのタイトルなどが表示される。
【００７５】
次にステップＳ７で、端末装置１００の情報取得部１２１は上述したコンテンツ再生装置２００における表示の更新内容を示す表示更新情報を通信部１０７を介して取得する。更新情報は、表示更新後に表示されるコンテンツのタイトル、アーティスト名、アルバム名などである。
【００７６】
そして、ステップＳ８で端末装置１００の表示制御部１２３は、表示更新情報に基づいて表示部１０６に表示されている情報表示画面の表示を更新する。表示の更新においては、例えば、再生するコンテンツが変更された場合にはコンテンツのタイトル、アーティスト名、アルバム名などが更新される。また、コンテンツの再生時刻を表示している場合には、再生時刻が進むのに合わせて常時更新情報が送信され、常時表示の更新により再生時刻の表示が更新される。
【００７７】
図６に端末装置１００の表示部１０６における情報表示画面の一例を示す。図６Ａは、情報表示画面の第１の態様である。第１の態様においてはコンテンツ再生装置２００において再生されているコンテンツの曲名、アーティスト名、アルバム名、再生状態、再生時刻、アルバムジャケットが表示されている。さらに、画面の左上にはコンテンツ再生装置２００におけるコンテンツソースの種類（図６Ａにおいては「ＵＳＢ」）が表示されている。
【００７８】
スマートフォンなどの端末装置１００は、カーオーディオなどのコンテンツ再生装置２００に比べて表示部１０６のサイズが大きいものが多い。よって、図４に示されるコンテンツ再生装置２００の表示例とは異なり、スマートフォンなどの端末装置１００は同時に複数の情報を表示することができる。また、スマートフォンなどの端末装置１００は、カーオーディオなどのコンテンツ再生装置２００に比べて表示部１０６の解像度が高いものが多いため、コンテンツのジャケットなどの画像も鮮明に表示することができる。
【００７９】
さらに、コンテンツ再生装置２００のコンテンツソースの種類を示す情報も表示されているので、ユーザは現在再生されているコンテンツがどのコンテンツソースのものなのかを常に把握することができる。
【００８０】
図６Ｂは、情報表示画面の第２の態様である。第２の態様においては、表示部の左側にコンテンツのアーティスト名、アルバム名、曲名が階層表示されている。よって、ユーザは、それらコンテンツに関する複数の情報を一目で確認することができる。
【００８１】
端末装置１００の入力部１０５と表示部１０６とが、指などを接触させることにより入力可能なタッチスクリーンとして構成されている場合、曲名などの表示位置に指を接触させるだけでコンテンツの選択を行うことができる。これにより、コンテンツの検索、選択を直感的に、迅速に行うことが可能となる。
【００８２】
また、タッチスクリーンがいわゆるタップ入力、ダブルタップ入力、ドラッグ操作、フリック入力などに対応している場合、より直感的に、迅速にコンテンツの検索、選択を行うことができる。
【００８３】
タップ入力とは、ユーザの指などを操作面上に短時間１回だけ接触させる入力動作である。ダブルタップ入力とは、指などを操作面上に短い間隔で連続して２回接触させる入力動作である。これらは主に決定の入力などに用いられる。
【００８４】
また、ドラッグ操作とは、ユーザの指などを操作面上に接触させたまま移動させる入力動作である。フリック操作とは、ユーザの指など操作面上の１点を指示してから、そのまま任意の方向に素早くはじくようにする入力動作である。
【００８５】
また、スマートフォンなどの端末装置１００は表示部１０６のサイズが大きいものが多いため、図６Ｂに示されるように、階層表示に加えてコンテンツの曲名、アーティスト名、アルバム名、アルバムジャケットを表示することが可能である。このように、端末装置１００においてコンテンツに関する情報の表示を行うことにより、より多くの情報をユーザに提示することができる。
【００８６】
さらに、図６Ｃは情報表示画面の第３の態様である。第３の態様においては、コンテンツ再生装置２００のコンテンツソースに格納されている複数のコンテンツの曲名が一覧表示されている。これにより、コンテンツの検索を直感的に、迅速に行うことが可能となる。
【００８７】
上述したステップＳ５で、端末装置１００の表示制御部１２４はアプリケーション情報に基づいて、表示部１０６における表示を図６に示すような情報表示画面に遷移させる。さらに、アプリケーション情報に示されるコンテンツソース再生用アプリケーションの種類も表示させる。
【００８８】
また、アプリケーションの種類に応じて、図６Ａ乃至図６Ｃのいずれか、またはそれ以外表示態様の情報表示画面を選択して表示部１０６に表示するようにしてもよい。
【００８９】
ただし、端末装置１００における表示態様は図６Ａ、図６Ｂおよび図６Ｃに示されるものに限られず、より多く情報、詳細な情報を表示するものであればどのような表示態様であってもよい。例えば、入力操作をアシストするアニメーション表示などを行うようにしてもよい。
【００９０】
シーケンス図の説明に戻る。ステップＳ９で、端末装置１００の入力部１０５がユーザから入力操作を受け付けると、ステップＳ１０でその入力操作の内容を示す操作情報が端末装置１００の情報送信部１２２によりコンテンツ再生装置２００に対して送信される。
【００９１】
そうすると次にステップＳ１１で、コンテンツ再生装置２００の情報取得部２１６は端末装置１００から送信された操作情報を通信部２１０を介して取得し、その操作情報に対応した処理が行われる。
【００９２】
例えば、端末装置１００においてコンテンツ再生を一時停止する入力操作が行われた場合には、コンテンツ再生装置２００は操作情報に基づいてコンテンツの再生を一時停止する。同様に、端末装置１００からの操作情報に基づいてコンテンツ再生装置２００において曲送り、曲戻し、ボリューム調整、コンテンツ選択などが行われる。
【００９３】
コンテンツ再生装置２００において操作情報に対応した処理が行われると、コンテンツ再生装置２００の表示部２１１における表示も更新される。例えば、コンテンツの選択が行われた場合には、表示されるコンテンツのタイトル表示が選択されたコンテンツのものに更新される。
【００９４】
そうすると、ステップＳ１２でコンテンツ再生装置２００における表示内容の更新を示す更新情報が、コンテンツ再生装置２００の情報送信部２１７により端末装置１００に送信される。
【００９５】
そしてステップＳ１３で、端末装置１００の情報取得部１２１が更新情報を取得し、表示制御部１２３がその更新情報に基づいて表示部１０６における表示更新処理を行う。
【００９６】
なお、ステップＳ６乃至ステップＳ８における処理と、ステップＳ９乃至ステップＳ１３における処理とは必ずしもステップＳ６乃至ステップＳ８における処理が先に行われる必要はない。コンテンツ再生装置２００に対して入力操作が行われた場合にはステップＳ６乃至ステップＳ８における処理が行われ、端末装置１００に対して入力操作が行われた場合にはステップＳ９乃至ステップＳ１３における処理が行われる。
【００９７】
このように、本技術によれば、例えば表示能力が限られている比較的安価なカーオーディオ機器を使用していても、スマートフォンなどの表示能力に優れた端末装置の表示部を利用することにより、豊富な情報をユーザに提示することができる。
【００９８】
また、タッチスクリーンを備えるスマートフォンなどの端末装置は入力を直感的に行うことができるため、従来のカーオーディオなどのコンテンツ再生装置では体験出来なかった快適な操作性を安価で容易に実現することができる。
【００９９】
また、本技術によれば、コンテンツ再生装置とは離間した別の装置である端末装置においてコンテンツの情報を表示すると共に、操作入力を行うことができる。これにより、例えば、複数のユーザが自動車に載っており、自動車の前部座席にコンテンツ再生装置が搭載されている場合で、後部座席に座っているユーザであっても容易にコンテンツ情報の参照、操作入力を行うことができる。よって、自動車に載っているすべてのユーザが容易に同じ情報を共有することができる。また、家庭においては、ドックスピーカなどのコンテンツ再生装置から離れた場所にユーザがいても、端末装置を身近に置いておけば、コンテンツ情報の参照、入力操作を行うことができる。
【０１００】
＜２．変形例＞
以上、本技術の一実施の形態について具体的に説明したが、本技術は、上述の実施形態に限定されるものではなく、本技術の技術的思想に基づく各種の変形が可能である。
【０１０１】
実施の形態では第１の装置をコンテンツ再生装置２００とし、第２の装置を端末装置１００としたが、具体的な装置はそれに限られるものではない。双方向通信を行うことができる装置であればどのようなものにも適用することができる。例えば、第１の装置、第２の装置共に携帯電話機、スマートフォン、タブレット端末などの端末装置１００であってもよい。また、一方の装置がテレビジョン受像機であり、他方の装置が端末装置１００であるという組み合わせでもよい。
【０１０２】
なお、本技術は以下のような構成も取ることができる。
【０１０３】
（１）第１の装置と接続された第２の装置において、
前記第１の装置において動作しているアプリケーションに関するアプリケーション情報を前記第２の装置が備える通信部を介して取得し、
前記アプリケーション情報に基づいて、前記第２の装置が備える表示部における表示制御を行う
情報処理装置。
【０１０４】
（２）前記第１の装置において前記アプリケーションにより再生されるコンテンツに関連する情報を示すコンテンツ情報を前記通信部を介して取得し、
前記コンテンツ情報に基づいて、前記コンテンツに関する情報を前記第２の装置が備える表示部に表示するよう制御する
前記（１）に記載の情報処理装置。
【０１０５】
（３）前記アプリケーション情報は、前記第１の装置において動作しているアプリケーションの種類を示す情報である
前記（１）または（２）に記載の情報処理装置。
【０１０６】
（４）前記アプリケーション情報は、前記第１の装置において、コンテンツを再生しているアプリケーションの種類を示す情報である
前記（１）から（３）のいずれかに記載の情報処理装置。
【０１０７】
（５）前記第２の装置が備える入力部に対する入力操作内容を示す操作情報を、前記第２の装置が備える通信部を介して前記第１の装置に送信する
前記（１）から（４）のいずれかに記載の情報処理装置。
【０１０８】
（６）前記第２の装置が備える通信部を介して、前記第１の装置において前記操作情報に基づいて行われた前記第１の装置の表示部の表示内容の更新を示す更新情報を取得し、
前記更新情報に基づいて前記第２の装置の表示部における表示の更新を行う
前記（５）に記載の情報処理装置。
【０１０９】
（７）第１の装置と接続された第２の装置において、
前記第１の装置において動作しているアプリケーションに関するアプリケーション情報を前記第２の装置が備える通信部を介して取得し、
前記アプリケーション情報に基づいて、前記第２の装置が備える表示部における表示制御を行う
情報処理方法。
【０１１０】
（８）第１の装置と接続された第２の装置において、
前記第１の装置において動作しているアプリケーションに関するアプリケーション情報を前記第２の装置が備える通信部を介して取得し、
前記アプリケーション情報に基づいて、前記第２の装置が備える表示部における表示制御を行う
情報処理方法を実行させる情報処理プログラム。
【０１１１】
（９）表示部を備え、
接続された他の装置において動作しているアプリケーションに関するアプリケーション情報を通信部を介して取得し、
前記アプリケーション情報に基づいて、前記表示部における表示制御を行う
端末装置。
【符号の説明】
【０１１２】
１００・・・端末装置
１０５・・・入力部
１０６・・・表示部
１０７・・・通信部
１０９・・・アプリケーションプロセッサ
１２１・・・情報取得部
１２２・・・情報送信部
１２３・・・表示制御部
２００・・・コンテンツ再生装置
２０９・・・入力部
２１０・・・通信部
２１１・・・表示部
２１５・・・アプリケーションプロセッサ
２１６・・・情報取得部
２１７・・・情報送信部
【図１】
2013191124.tif 000003
【図２】
2013191124.tif 000004
【図３】
2013191124.tif 000005
【図４】
2013191124.tif 000006
【図５】
2013191124.tif 000007
【図６】
2013191124.tif 000008